(57)【要約】【課題】洗濯物干しハンガーの洗濯バサミから洗濯物を外す時、洗濯バサミをひとつずつ外す手間を解決すること。【解決手段】ハンガー枠１の内側中央部にスライドするベルト２を設け、洗濯バサミの右片側３上部をハンガー枠下部Ｃに固定取り付け、もう一方の洗濯バサミ左４片側上部をスライドするベルト２に連動するよう取り付けた、二つ折ハンガー枠の中心部に位置するノブ６の操作により、速やかに洗濯バサミが開くことで、この課題を解決する。【選択図】図１
2007203031.tif 000002
【特許請求の範囲】
【請求項１】
ハンガー枠の内側中央に平行してスライドするベルトを設置、スライドするベルトを速やかに動かすための伝達手段を設けたことを特長とするワンタッチハンガー。
【請求項２】
ハンガー枠の下部と洗濯バサミの片側上部を固定取り付け、洗濯バサミのもう一方の上部をハンガーの内側に即したベルトでスムーズにスライド伝達手段を備えたことを特長とするワンタッチハンガー。
【発明の詳細な説明】
【技術分野】
【０００１】  本発明は、洗濯物を干すときに使用する洗濯バサミ付きハンガーで、干した洗濯物をワンタッチで外すことが出来ることに関するものである。
【背景技術】
【０００２】  従来から洗濯物を干す時は、シワをのばしながら１枚ずつ干すので問題はないが、洗濯物を外す時、洗濯バサミひとつずつ手間をかけ、手でつまみ外さなければならない又、ハンガーと洗濯バサミが一本のプラスチック状の左右に動くものでつながり、ぶらさがっているもが一般的である。
【発明の開示】
【発明が解決しようとする課題】
【０００３】  しかしながら、従来のような作業では時間も手間もかかるし、毎日多くの洗濯物を外すのは大変な作業であるのでそれを解決することを課題とした。【０００４】  このためワンタッチで洗濯物をスムーズに外すことが望まれていた。
【課題を解決するための手段】
【０００５】  この課題を解決するための請求項１の発明に係るワンタッチハンガーは、ハンガー枠の内側中央にスライドするベルト（プラスチック及び、ワイヤー等々、以後省略）を設け、二つ折りになるハンガー枠の中央部に位置するノブ操作で、速やかに洗濯バサミにスライド伝達手段を備えたことを特長とする。【０００６】  また、請求項２の発明は、洗濯バサミの片側上部をハンガー枠下部に固定取り付け、もう一方の洗濯バサミの上部を内側に位置したスライドするベルトに連動するよう取り付けられ構成したことを特長とする。
この結果、中央部に位置するノブを操作することにより、下部に取り付けられた洗濯バサミに速やかにスライド伝達し洗濯バサミが開くようになった。
【発明の効果】
【０００７】  本発明により、片手がふさがっている時、時間がない時、たくさんの洗濯物をひとつずつ外すことなく、ワンタッチで洗濯物をはずすことが出来るようになった。
【発明を実施するための最良の形態】以下に本発明の実施形態を添付図面と参照しながら説明する。【０００８】  本実施形態に係るワンタッチハンガーは、図１に示すように、洗濯物を広げて干すために上部で支えるハンガー枠１と、その枠の内側の中心に沿って左右にスライドするベルト２と、洗濯物を挟んで干すために留める洗濯バサミ右３、左４、と、図４に示す５のスライドするベルト巻き取り機で構成されている。
【作用】
【０００９】    以上のように構成されたワンタッチハンガーは、次のように作用する。
【００１０】  図１の洗濯バサミは閉まった状態であるが、洗濯物を干す場合、挟む所Ｂを開くには、まず片側洗濯バサミ４を、図２の４のように、もう一方の洗濯バサミ３の方向へ指先でつまんで動かすと挟む所Ａのように口が開き物を挟むことができる、本発明は、図１ハンガー枠１と、洗濯バサミの片側３上部がＣの所で固定している、また、図２のＤのように空間窓をつくり自由に４を指先でつまみ、動かすことが出来るようにしたことを特長としているワンタッチハンガー。
【００１１】  図４は、洗濯物をワンタッチで外す場合、図１の２だけを図３のＥ方向、右へスライドさせなければならないが、図８（Ａ−Ａ｀）２Ａに位置する円形状の巻き取り機により、図４のノブ６を７の方向へ動かすことにより２のスライドベルトは５に巻き取られ、図３の２がＥ方向右へスライドするのでＡのように洗濯バサミの口が開きワンタッチで洗濯物を外すことを特長としているワンタッチハンガー。
【００１２】    図４に示すものと同様、他の例を図５に示す。この中心の左右に備えた８、９、のノブを中心方向へスライドすることにより図４と同様、ベルト２が中心に動くことを示す。
【００１３】  図６は、図５（Ｂ−Ｂ｀）の枠下から見た断面図である。
【００１４】  図７は、図３の（Ｆ−Ｆ｀）を、右側面からみた断面図で、２Ｇは中央に位置するスライドベルトと洗濯バサミの左片方、４が安定かつはずれないようにする為の誘導枠である。
【００１１５】  図８は、ワンタッチハンガーの枠を、上部から見た所を示し、Ｈは、スライドするベルトの設置する位置を示した。
【００１６】  図９は、ワンタッチハンガーの枠を円形状にして上部から見たものだが、形状は、自由に型作れる、又スライドベルト巻き取り機は、ハンガー枠横に横向きに取り付けた。
【００１７】  ここでスライドするベルトの流れを説明する。
図１０は、１０を中心に一箇所で構成され、図４、の巻き取り機及び、図５のスライド機ノブによって、ベルトの流道方向を示している。
【００１８】  図１１は、前記と同様だが、１１、１２、の二箇所に分散構成しているので巻き取り機、又は、スライド機にかかる力（握力）を軽減している。
【００１９】  図１２は、図９の円形状スライドベルトの流動方向を示している。
図１３は、図２（Ｊ−Ｊ｀）の線矢視断面図（ハンガー枠のみ）で、図１のＣに位置する（１と３の固定）部分は底枠があるが、Ｋ部分は、軽量化及び、雨水がたまるため、枠底はない。
【００２０】  これらワンタッチハンガーの材料は、現在利用している通常のものでよい。
【産業上の利用可能性】
【００２１】  本発明に係るワンタッチハンガーは、工業的に量産することが可能であるため、産業上の利用可能性を有する。
【図面の簡単な説明】
【００２２】
【図１】  本発明に係るワンタッチハンガーを示す側面断面図である。
【図２】  本発明に係るワンタッチハンガーで洗濯物を挟む為の手動伝達を示す側面断面図である。
【図３】  本発明に係るワンタッチハンガーでスライドするベルトを中心の巻き取り機を作動した時の側面断面図である。
【図４】  図８（Ａ−Ａ｀）の線矢視断面図でスライドベルト巻き取り機である。
【図５】  本発明に係るワンタッチハンガーのベルトをスライドさせるノブの側面図である。
【図６】  図５（Ｂ−Ｂ｀）の線矢視断面図である。
【図７】  図３の（Ｆ−Ｆ｀）の線矢視断面図である。
【図８】  本発明に係るワンタッチハンガー枠を上部から見た全体枠を示す
【図９】  図８と同様、円形状のハンガー枠を上部から見た全体枠を示す。
【図１０】  本発明に係るワンタッチハンガー枠の内側中心に配置したベルトがスライドする方向道を示したものである。
【図１１】  図１０と同様、ベルトがスライドする方向道を示したものである。
【図１２】  図１０と同様、円形状枠のベルトがスライドする方行道を示したものである。
【図１３】  本発明に係るワンタッチハンガー枠一部分を下から見たものを示した。
【符号の説明】
【００２３】１    ハンガー枠
２    スライドベルト
３    ハンガー枠と固定している洗濯バサミ右片側
４    スライドベルトに連動している洗濯バサミ左片側
５    スライドベルト巻き取り機
６    スライドベルト巻き取りノブ
７    スライドベルト巻き取り固定ノブ
８    スライドベルト左横ノブ
９    スライドベルト右横ノブ
【図１】
2007203031.tif 000003
【図２】
2007203031.tif 000004
【図３】
2007203031.tif 000005
【図４】
2007203031.tif 000006
【図５】
2007203031.tif 000007
【図６】
2007203031.tif 000008
【図７】
2007203031.tif 000009
【図８】
2007203031.tif 000010
【図９】
2007203031.tif 000011
【図１０】
2007203031.tif 000012
【図１１】
2007203031.tif 000013
【図１２】
2007203031.tif 000014
【図１３】
2007203031.tif 000015